(57)【要約】【課題】ホットスポットサービスエリア内か否かを容易に確認することを目的とする。【解決手段】所定のネットワークのＩＤ、ネットワークキーなどの情報を記憶する記憶装置２と、所定領域の電波の強度、及び電波に搬送されている情報を検出する電波検出装置３と、記憶装置２と電波検出装置３からの各情報をもとに判定装置４で所定のネットワークの電波の強度を判定することにより、容易にホットスポットサービスエリア内か否かを確認することができる。【選択図】  図１
2005020509.tif 000002
【特許請求の範囲】
【請求項１】
所定のネットワークのＩＤ、ネットワークキーなどの情報を記憶する記憶装置と、所定領域の電波の強度、及び電波に搬送されている情報を検出する電波検出装置と、前記記憶装置と前記電波検出装置からの各情報をもとに判定装置で所定のネットワークの電波の強度を判定することを特徴とする電波強度測定装置。
【請求項２】
前記判定装置に判定結果を表示する表示装置を搭載したことを特徴とする電波強度測定装置。
【請求項３】
前記記憶装置の情報である所定のネットワークのＩＤ、ネットワークキーなどの情報を、パーソナルコンピューター、ＰＤＡなどの第２の端末と接続し、情報を登録することができる外部通信装置と端子を搭載したことを特徴とする電波強度測定装置。
【請求項４】
前記判定装置に、携帯電話などに取り付けるための貫通穴、取り付け具を装備したことを特徴とする電波強度測定装置。
【請求項５】
前記判定装置、前記電波検出装置、前記記憶装置に電源を供給する電源装置を搭載したことを特徴とする電波強度測定装置。
【請求項６】
前記電源装置は前記端子より充電できることを特徴とする電波強度測定装置。
【発明の詳細な説明】
【０００１】
【発明の属する技術分野】
本発明は、無線ＬＡＮなどで行われているホットスポットサービスのサービスエリアの確認できる装置に関する発明である。
【０００２】
【従来の技術】
従来から、パーソナルコンピューター（以下ＰＣ）、携帯端末機（以下ＰＤＡ）で、所定のソフトウェアを立ち上げホットスポットサービスのエリア内か否かを判定する機能を有する発明が提案されている（例えば、特許文献１参照）。
【０００３】
図６は従来提案されたＰＣ，ＰＤＡに所定の無線ＬＡＮ装置をＰＣカード、ＵＳＢ等の手段で搭載し、ホットスポットサービス用の専用ソフトウェアを立ち上げることにより、現在位置がホットスポットサービスエリア内のアクセスポイントであるかを確認することができる、サービスエリア内であれば、ブラウザー、メール等のインターネットサービスを受けることができるが、サービスエリア外であれば、インターネットサービスを受けることができない。この発明では、ホットサービスエリア内か否かを、わざわざＰＣ，ＰＤＡのホットスポットサービス用の専用ソフトウェアを立ち上げることなく、常時携帯しているキーホルダーなどに電波強度測定機能を搭載し、簡単にサービスエリア内か否かを確認することができる。
【０００４】
更に、このキーホルダーは、ホットサービスの各ネットワークのＩＤ、ネットワークキーなどの情報をＰＣ等を利用することにより、登録することができるため、複数のホットスポットサービスに対応することができる。
【０００５】
【特許文献１】
特開２００２−３１５０５８号公報
【０００６】
【発明が解決しようとする課題】
しかしながら、従来のＰＣ，ＰＤＡに所定の無線ＬＡＮ装置をＰＣカード、ＵＳＢ等の手段で搭載し、ホットスポットサービス用の専用ソフトウェアを立ち上げることにより、現在位置がホットスポットサービスエリア内であるかを確認することができる、サービスエリア内であれば、ブラウザー、メール等のインターネットサービスを受けることができるが、サービスエリア外であれば、インターネットサービスを受けることができない。
【０００７】
本発明は、ホットサービスエリア内か否かを、わざわざＰＣ，ＰＤＡのホットスポットサービス用の専用ソフトウェアを立ち上げることなく、常時携帯しているキーホルダーなどに電波強度を測定を搭載し、簡単にサービスエリア内か否かを確認することができる。
【０００８】
更に、このキーホルダーは、ホットサービスの各ネットワークのＩＤ、ネットワークキーなどの情報をＰＣ等を利用することにより、登録することができるため、複数のホットスポットサービスに対応することができる。
【０００９】
更に、ＰＣ、ＰＤＡ等に端子を接続することにより、電源装置に電力を供給することができるため、改めて充電する作業を簡素化できることを目的としている。
【００１０】
【課題を解決するための手段】
請求項１に記載の発明は、所定のネットワークのＩＤ、ネットワークキーなどの情報を記憶する記憶装置と、所定領域の電波の強度、及び電波に搬送されている情報を検出する電波検出装置と、前記記憶装置と前記電波検出装置からの各情報をもとに判定装置で所定のネットワークの電波の強度を判定することを特徴とする。
【００１１】
請求項２に記載の発明は、前記判定装置に判定結果を表示する表示装置を搭載したことを特徴とする。
【００１２】
請求項３に記載の発明は、前記記憶装置の情報である所定のネットワークのＩＤ、ネットワークキーなどの情報を、パーソナルコンピューター、ＰＤＡなどの第２の端末と接続し、情報を登録することができる外部通信装置と端子を搭載したことを特徴とする。
【００１３】
請求項４に記載の発明は、前記判定装置に、携帯電話などに取り付けるための貫通穴、取り付け具を装備したことを特徴とする。
【００１４】
請求項５に記載の発明は、前記判定装置、前記電波検出装置、前記記憶装置に電源を供給する電源装置を搭載したことを特徴とする。
【００１５】
請求項６に記載の発明は、前記電源装置は前記端子より充電できることを特徴とする。
【００１６】
【発明の実施の形態】
（実施の形態１）
以下、本発明の電波強度測定装置の実施形態について、図面を参照しながら説明する。なお、従来と同一構成については、同一符号を付して詳細な説明を省略する。図１は、本発明の実施の形態１にかかる電波強度測定装置の構成図である。
【００１７】
図１において、１は電波強度測定装置の本体であり、電波強度測定結果を表示する表示装置５、ネットワークのＩＤとネットワークキーの情報を外部の第２の端末と接続するための端子７、キーホルダーとしての取り付け具８で構成されている。
【００１８】
また、電波強度測定装置１に取り付けられている表示装置５は、ホットスポットサービスエリア外であれば消灯し、ホットスポットサービスエリア内であれば、電波強度は強いと点灯し、弱ければ点滅する。
【００１９】
電波強度装置１に取り付けられている端子７は、ＰＣ、ＰＤＡ等の第２端末と接続することにより、（ＵＳＢ、ＰＣＭＣＩＡ等の電源を有する外部端子）記憶装置２にネットワークのＩＤ、ネットワークキーの情報を登録することができ、同時に電源装置に電力を供給することができる。
【００２０】
次に本発明の動作を図２、図３によって説明する。
【００２１】
図２は、電波強度測定装置１の各装置のブロック図である。２はネットワークのＩＤ、ネットワークキー（ＷＥＰ  ＫＥＹ等）を記憶することができる記憶装置。３は無線ネットワークをベースとした各ＡＳＰサービス会社が提供しているホットスポットサービスのエリアの電波強度値、電波に含まれている情報（ネットワークのＩＤ、ネットワークキー（ＷＥＰ  ＫＥＹ等））を検出する電波検出装置である。
【００２２】
４は電波検出装置で、検出した電波強度の量、情報（ネットワークのＩＤ、ネットワークキー（ＷＥＰ  ＫＥＹ等））が、記憶装置にすでに登録されている複数の情報（ネットワークのＩＤ、ネットワークキー（ＷＥＰ  ＫＥＹ等）、ＡネットワークのＩＤ、Ａネットワークキー（ＷＥＰ  ＫＥＹ等））に適合しているかを判定する、また電波強度の強弱を判定する判定装置である。
【００２３】
５は表示装置で、前記判定装置で判定した電波強度の強弱において、電波強度が強の場合、表示装置が点灯し、弱の場合は点滅する、また電波強度が所定の検出レベルに達していない場合は消灯する。
【００２４】
図２、図３より、６は外部通信装置で、前記判定装置４と接続されており、端子７を介して接続されているＰＣ、ＰＤＡより、前記判定装置４に接続されている記憶装置２の複数の情報（ネットワークのＩＤ、ネットワークキー（ＷＥＰ  ＫＥＹ等））の内容を変更、消去、読み出しを行いことができる。
【００２５】
９は電源装置で、電波強度測定装置１の電力を供給するとともに、前記端子７を介して接続されているＰＣ、ＰＤＡより電力が供給され充電される。
【００２６】
次に本発明の動作についてブロック図４を用いて説明する。
【００２７】
図４において、ＳＴＥＰ１では、ホットスポットサービスエリア内での無線ＬＡＮの所定電波強度を電波検出装置３で検出する。
【００２８】
ＳＴＥＰ２では、ＳＴＥＰ１で検出した電波強度がない場合は、ＳＴＥＰ３で、表示装置５の表示を消灯し、ホットスポットサービスエリア外であることを表示する。
【００２９】
ＳＴＥＰ２で、電波強度がある場合は、ＳＴＥＰ４へ移行となり、ＳＴＥＰ４では、記憶装置２に事前に登録されている情報であるネットワークＩＤと、今回検出した電波強度から得た情報のネットワークＩＤとが一致しているかを判定装置４で行い、一致していればＳＴＥＰ５へ移行する、一致していなければＳＴＥＰ３へ移行する。
【００３０】
また、ＳＴＥＰ５では、記憶装置２に事前に登録されている情報であるネットワークキーと、今回検出した電波強度から得た情報のネットワークキーとが一致しているかを判定装置４で行い、一致していればＳＴＥＰ６へ移行する、一致していなければＳＴＥＰ３へ移行する。
【００３１】
ＳＴＥＰ６では、事ＰＣ、ＰＤＡ等で端子７、外部通信装置６、判定装置４を介して事前に記憶装置２に登録したホットスポットサービスエリア内であるため、
ＳＴＥＰ１で電波検出装置３で検出した電波強度が「弱」ならばＳＴＥＰ７へ移行し、「強」ならばＳＴＥＰ８へ移行する。
【００３２】
ＳＴＥＰ７では、表示装置５の表示を点滅する。ＳＴＥＰ８では、表示装置５の表示を点灯する。
【００３３】
上記動作を行うことにより、ホットサービスエリア内か否かを、わざわざＰＣ，ＰＤＡのホットスポットサービス用の専用ソフトウェアを立ち上げることなく、常時携帯しているキーホルダーなどに電波強度を測定を搭載し、簡単にサービスエリア内か否かを確認することができる。
【００３４】
更に、このキーホルダーは、ホットサービスの各ネットワークのＩＤ、ネットワークキーなどの情報をＰＣ等を利用することにより、登録することができるため、複数のホットスポットサービスに対応することができる。
【００３５】
更に、ＰＣ、ＰＤＡ等に端子を接続することにより、電源装置に電力を供給することができるため、改めて充電する作業を簡素化できることを容易に実現できる。
【００３６】
【発明の効果】
以上説明したように請求項１に記載の発明は、請求項１に記載の発明は、所定のネットワークのＩＤ、ネットワークキーなどの情報を記憶する記憶装置と、所定領域の電波の強度、及び電波に搬送されている情報を検出する電波検出装置と、前記記憶装置と前記電波検出装置からの各情報をもとに判定装置で所定のネットワークの電波の強度を判定することができる。
【００３７】
また請求項２に記載の発明は、前記判定装置に判定結果を表示する表示装置を搭載したことにより、電波強度の状態を表示することができる。
【００３８】
また請求項３に記載の発明は、前記記憶装置の情報である所定のネットワークのＩＤ、ネットワークキーなどの情報を、パーソナルコンピューター、ＰＤＡなどの第２の端末と接続し、情報を登録することができる外部通信装置と端子を搭載したことにより、容易にネットワークＩＤ、ネットワークキーの情報を登録、消去参照することができる。
【００３９】
また請求項４に記載の発明は、前記判定装置に、携帯電話などに取り付けるための貫通穴、取り付け具を装備したことにより、容易に電波強度測定装置を携帯することができる。
【００４０】
また請求項５に記載の発明は、前記判定装置、前記電波検出装置、前記記憶装置に電源を供給する電源装置を搭載したことにより、容易に電波強度測定装置を携帯することができる。
【００４１】
また請求項６に記載の発明は、前記電源装置は前記端子より充電できることにより、容易に電波強度測定装置の電源装置に充電することができる。
【００４２】
そのためホットサービスエリア内か否かを、わざわざＰＣ，ＰＤＡのホットスポットサービス用の専用ソフトウェアを立ち上げることなく、常時携帯しているキーホルダーなどに電波強度を測定を搭載し、簡単にサービスエリア内か否かを確認することができる。
【００４３】
更に、このキーホルダーは、ホットサービスの各ネットワークのＩＤ、ネットワークキーなどの情報をＰＤＡ，ＰＣ等を端子（ＵＳＢ、ＩＥＥＥ１３９４、ＰＣＭＣＩＡ、ＳＤ、メモリステック等）に接続することにより、登録することができるため、複数のホットスポットサービスに対応することができる。
【００４４】
更に、ＰＣ、ＰＤＡ等に端子（ＵＳＢ、ＩＥＥＥ１３９４、ＰＣＭＣＩＡ、ＳＤ、メモリステック等）を接続することにより、電源装置に電力を供給することができるため、改めて充電する作業を簡素化できることを容易に実現できる。
【図面の簡単な説明】
【図１】本発明の実施の形態１における電波強度測定装置の構成図
【図２】本発明の実施の形態１における電波強度測定装置のブロック図
【図３】本発明の実施の形態１における記憶装置のブロック図
【図４】本発明の実施の形態１における動作フロー図
【図５】従来例の電波強度装置のシステム図
【符号の説明】
１  電波強度測定装置
２  記憶装置
３  電波検出装置
４  判定装置
５  表示装置
６  外部通信装置
７  端子
８  取り付け具
９  電源装置
【図１】
2005020509.tif 000003
【図２】
2005020509.tif 000004
【図３】
2005020509.tif 000005
【図４】
2005020509.tif 000006
【図５】
2005020509.tif 000007